(57)【特許請求の範囲】
【請求項１】
ホログラム記録材料を露光してホログラムを製造するホログラム製造方法であって、
一つのレーザ光源から発生されたレーザ光を、二以上の数の参照光および二以上の数の物体光として、前記ホログラム記録材料に同時に照射する工程を含み、
前記一つのレーザ光源から発生されたレーザ光は、分岐手段によって前記二以上の数の分岐光に分岐され、その後、各分岐光が、分離手段によって、それぞれ参照光および物体光に分離され、
前記二以上の数の分岐光から選択される二つの分岐光の、前記一つのレーザ光源から当該分岐光に対応する各分離手段までの、光路長の差は、すべて、前記一つのレーザ光源から発生された前記レーザ光のコヒーレント長より長い、
ことを特徴とするホログラム製造方法。
【請求項２】
直列的に順に並べて配置された前記二以上の数よりも一つ少ない数のビームスプリッターからなる前記分岐手段によって、前記二以上の数の分岐光が順に得られていく、
ことを特徴とする請求項１に記載のホログラム製造方法。
【請求項３】
前記直列的に順に並べて配置されたビームスプリッターのうちの前記一つのレーザ光源から最も離間した最下流側のビームスプリッターから、当該最下流側のビームスプリッターで分岐された二つの分岐光のうちの一方に対応する分離手段までの光路長は、前記一つのレーザ光源から発生された前記レーザ光のコヒーレント長よりも長い
ことを特徴とする請求項２に記載のホログラム製造方法。
【請求項４】
前記直列的に順に並べて配置されたビームスプリッターのうちの前記一つのレーザ光源から最も離間した最下流側のビームスプリッターから、当該最下流側のビームスプリッターで分岐された二つの分岐光のうちの一方に対応する分離手段までの光路長は、前記一つのレーザ光源から発生された前記レーザ光のコヒーレント長よりも長く、
前記直列的に順に並べて配置されたビームスプリッターのうちの隣り合う二つのビームスプリッター間における光路長は、すべて、前記一つのレーザ光源から発生された前記レーザ光のコヒーレント長より長い、
ことを特徴とする請求項２に記載のホログラム製造方法。
【請求項５】
ホログラム記録材料を露光するための露光装置であって、
一つのレーザ光源と、
前記一つのレーザ光源から発生されたレーザ光を二以上の数の分岐光に分岐させる分岐手段と、
各分岐光を、前記ホログラム記録材料にそれぞれ照射される参照光および物体光に分離させる分離手段と、を備え、
前記二以上の数の分岐光から選択される二つの分岐光の、前記一つのレーザ光源から当該分岐光に対応する各分離手段までの、光路長の差は、すべて、前記一つのレーザ光源から発生された前記レーザ光のコヒーレント長より長い、
ことを特徴とする露光装置。
【請求項６】
前記分岐手段は、直列的に順に並べて配置された前記二以上の数よりも一つ少ない数のビームスプリッターである、
ことを特徴とする請求項５に記載の露光装置。
【請求項７】
前記直列的に順に並べて配置されたビームスプリッターのうちの前記一つのレーザ光源から最も離間した最下流側のビームスプリッターから、当該最下流側のビームスプリッターで分岐された二つの分岐光のうちの一方に対応する分離手段まで、の光路長が、前記一つのレーザ光源から発生された前記レーザ光のコヒーレント長より長い、
ことを特徴とする請求項６に記載の露光装置。
【請求項８】
前記最下流側のビームスプリッターと、前記最下流側のビームスプリッターで分岐された二つの分岐光のうちの前記一方に対応する分離手段と、の間に折り返しミラーが配置されている、
ことを特徴とする請求項７に記載の露光装置。
【請求項９】
前記直列的に順に並べて配置されたビームスプリッターのうちの前記一つのレーザ光源から最も離間した最下流側のビームスプリッターから、当該最下流側のビームスプリッターで分岐された二つの分岐光のうちの一方に対応する分離手段まで、の光路長が、前記一つのレーザ光源から発生された前記レーザ光のコヒーレント長より長く、
前記直列的に順に並べて配置されたビームスプリッターのうちの隣り合う二つのビームスプリッター間における光路長は、すべて、前記一つのレーザ光源から発生された前記レーザ光のコヒーレント長より長い、
ことを特徴とする請求項６に記載の露光装置。
【請求項１０】
前記最下流側のビームスプリッターと、前記最下流側のビームスプリッターで分岐された二つの分岐光のうちの前記一方に対応する分離手段と、の間に折り返しミラーが配置され、
前記隣り合う二つのビームスプリッターの間に、それぞれ、折り返しミラーが配置されている、
ことを特徴とする請求項９に記載の露光装置。
【発明の詳細な説明】
【技術分野】
【０００１】
本発明は、複数の干渉縞を記録されたホログラムを製造するための製造方法および露光装置に係り、とりわけ、不要な干渉縞が記録されること防止して回折効率の高いホログラムを製造するホログラム製造方法および露光装置に関する。
【背景技術】
【０００２】
従来、二光束の干渉により生じる干渉縞をホログラム記録材料（感光材料）に記録してなる体積型ホログラムが、知られている。体積型ホログラムは、いわゆるブラッグ条件と呼ばれる波長および光路方向に関する条件を満たす光を、高い回折効率で回折する光学素子である。このホログラムは、その回折機能よって、高い意匠性および高い識別性を呈することから、種々の分野で使用されている。とりわけ、ホログラムは、その高い識別性によって、優れた真贋判定指標を提供することができ、これにより、真正性を標示する真正性標示体としても用いられている。
【０００３】
体積型ホログラムは、干渉性を有した参照光および物体光を互いに異なる方向からホログラム記録材料に照射することにより、製造され得る。この製造方法では、二つの光束が干渉することにより干渉縞（干渉パターン）が生成され、感光性を有したホログラム記録材料は、この干渉縞をなす光の強弱パターンに対応して反応する。結果として、干渉縞が、何らかの縞状パターン、例えば屈折率の変化、透過率の変化、あるいは、形状変化（凹凸パターンの形成）として、ホログラム記録材料に記録される。そして、ブラッグ条件を満たす光は、感光材料に記録された干渉縞によって、高い回折効率で回折されるようになる。
【０００４】
さらに昨今では、ホログラム記録材料に複数の干渉縞を記録することによって、作製されたホログラムの意匠性および識別性を向上させることも検討されている（例えば、特許文献１および特許文献２）。
【先行技術文献】
【特許文献】
【０００５】
【特許文献１】特開２００８−１２２６７０号公報
【特許文献２】特開２００５−７０３４１号公報
【発明の概要】
【発明が解決しようとする課題】
【０００６】
ところで、特許文献１では、複数の参照光および複数の物体光をホログラム記録材料に同時に入射させることによって、複数の干渉縞をホログラム記録材料に同時に記録するようになっている。ただし、特許文献１に開示された方法では、同一のレーザ光源から発生された複数の物体光が互いに異なる方向からホログラム記録材料に同時に入射しているため、複数の物体光が互いに干渉しあって、不要な干渉縞も多数感光材に記録されてしまうことが予想される。
【０００７】
ホログラムが不要な干渉縞を含む場合、再生照明光が不要な方向にも回折され、この結果、意図した方向への回折効率が低下してしまう。したがって、像が予定した各方向に明るく再生され得ず、この結果、各方向に再生される像の変化を十分に認識することができないといった不具合も生じ得る。この場合、ホログラムに期待された機能、すなわち、意匠性の向上や、真贋判定指標の提供といった機能が十分に発揮され得なくなる可能性がある。また、ホログラムが意図しない方向へ光を回折する場合、当該ホログラムがもはや目的とする用途、例えば何らかの回折作用を期待されたホログラフィック光学素子として使用することが不可能ともなる。
【０００８】
その一方で、物体光および参照光を用いたホログラム記録材料の露光を、干渉縞単位で順次行っていく方法も知られているが、順次露光により同一のホログラム記録材料に複数の干渉縞を順次形成していく場合、作製工程数が増加し、これにともなってホログラムの製造コストが増加してしまう、といった不具合が生じる。さらには、回折効率を調節するためのホログラム記録材料の調整や露光条件の最適化も著しく困難となってしまう。
【０００９】
なお、特許文献２では、単一のレーザ光源から発生されたレーザ光源をまず物体光の系統と参照光の系統とに分岐させ、次に、同数の分岐物体光および分岐参照光に各系統をさらに分岐させる。その後、多数の分岐物体光および多数の分岐参照光が同時にホログラム記録材料に照射され、多数の干渉縞がホログラム記録材料に並行して記録される。各分岐物体光は、それぞれ、いずれか一つの分岐参照光と対応付けられ、各物体光または参照光の光路は、対応付けられたいずれか一つの参照光または物体光のみとの光路差が可干渉な長さとなるように設計され、他の物体光および参照光との光路差が可干渉な長さの範囲外となるように設計されている。
【００１０】
特許文献２に開示された方法によれば、対応付けられた物体光と参照光との間でのみ干渉が生じるため、不要な干渉縞がホログラム記録材料に記録されることを防止することができる。しかしながら、始めに分割した複数の物体光と複数の参照光との間において特定の物体光および参照光の組み合わせのみ干渉性を持たせるといった特許文献２の方法では、各光路長の測定および設計が極めて煩雑となる。また、レーザ光源からのレーザ光をホログラム記録材料に誘導するまでの光学系が非常に大型化してしまう。そして、このような不具合は、コヒーレント長が比較的に長いレーザ光を用いた場合に、とりわけ顕著となる。これらの点から、特許文献２に開示された方法では、不要な干渉縞が記録されてしまうことを安定して防止することは困難である。
【００１１】
本発明はこのような点を考慮してなされたものであり、複数の干渉縞を記録されたホログラムであって高い回折効率で光を回折することができるホログラムを安定して製造することができるホログラム製造方法および露光装置を提供することを目的とする。
【課題を解決するための手段】
【００１２】
本発明によるホログラム製造方法は、
ホログラム記録材料を露光してホログラムを製造するホログラム製造方法であって、
一つのレーザ光源から発生されたレーザ光を、二以上の数の参照光および二以上の数の物体光として、前記ホログラム記録材料に同時に照射する工程を含み、
前記一つのレーザ光源から発生されたレーザ光は、分岐手段によって前記二以上の数の分岐光に分岐され、その後、各分岐光が、分離手段によって、それぞれ参照光および物体光に分離され、
前記二以上の数の分岐光から選択される二つの分岐光の、前記一つのレーザ光源から当該分岐光に対応する各分離手段までの、光路長の差は、すべて、前記一つのレーザ光源から発生された前記レーザ光のコヒーレント長より長い。
【００１３】
本発明によるホログラム製造方法において、直列的に順に並べて配置された前記二以上の数よりも一つ少ない数のビームスプリッターからなる前記分岐手段によって、前記二以上の数の分岐光が順に得られていくようにしてもよい。
【００１４】
本発明によるホログラム製造方法において、前記直列的に順に並べて配置されたビームスプリッターのうちの前記一つのレーザ光源から最も離間した最下流側のビームスプリッターから、当該最下流側のビームスプリッターで分岐された二つの分岐光のうちの一方に対応する分離手段までの光路長は、前記一つのレーザ光源から発生された前記レーザ光のコヒーレント長よりも長くしてもよい。
【００１５】
本発明によるホログラム製造方法において、
前記直列的に順に並べて配置されたビームスプリッターのうちの前記一つのレーザ光源から最も離間した最下流側のビームスプリッターから、当該最下流側のビームスプリッターで分岐された二つの分岐光のうちの一方に対応する分離手段までの光路長は、前記一つのレーザ光源から発生された前記レーザ光のコヒーレント長よりも長くし、
前記直列的に順に並べて配置されたビームスプリッターのうちの隣り合う二つのビームスプリッター間における光路長は、すべて、前記一つのレーザ光源から発生された前記レーザ光のコヒーレント長より長くしてもよい。
【００１６】
本発明による露光装置は、
ホログラム記録材料を露光するための露光装置であって、
一つのレーザ光源と、
前記一つのレーザ光源から発生されたレーザ光を二以上の数の分岐光に分岐させる分岐手段と、
各分岐光を、前記ホログラム記録材料にそれぞれ照射される参照光および物体光に分離させる分離手段と、を備え、
前記二以上の数の分岐光から選択される二つの分岐光の、前記一つのレーザ光源から当該分岐光に対応する各分離手段までの、光路長の差は、すべて、前記一つのレーザ光源から発生された前記レーザ光のコヒーレント長より長い。
【００１７】
本発明による露光装置において、分離手段は、前記二以上の数と同数だけ設けられ、各分離手段は、前記二以上の数の分岐光のいずれか一つと対応付けられていてもよい。
【００１８】
本発明による露光装置において、前記分岐手段は、直列的に順に並べて配置された前記二以上の数よりも一つ少ない数のビームスプリッターであってもよい。
【００１９】
本発明による露光装置において、前記直列的に順に並べて配置されたビームスプリッターのうちの前記一つのレーザ光源から最も離間した最下流側のビームスプリッターから、当該最下流側のビームスプリッターで分岐された二つの分岐光のうちの一方に対応する分離手段まで、の光路長が、前記一つのレーザ光源から発生された前記レーザ光のコヒーレント長より長くしてもよい。このような本発明による露光装置において、前記最下流側のビームスプリッターと、前記最下流側のビームスプリッターで分岐された二つの分岐光のうちの前記一方に対応する分離手段と、の間に折り返しミラーが配置されていてもよい。
【００２０】
本発明による露光装置において、
前記直列的に順に並べて配置されたビームスプリッターのうちの前記一つのレーザ光源から最も離間した最下流側のビームスプリッターから、当該最下流側のビームスプリッターで分岐された二つの分岐光のうちの一方に対応する分離手段まで、の光路長が、前記一つのレーザ光源から発生された前記レーザ光のコヒーレント長より長くし、
前記直列的に順に並べて配置されたビームスプリッターのうちの隣り合う二つのビームスプリッター間における光路長は、すべて、前記一つのレーザ光源から発生された前記レーザ光のコヒーレント長より長くしてもよい。このような本発明による露光装置において、前記最下流側のビームスプリッターと、前記最下流側のビームスプリッターで分岐された二つの分岐光のうちの前記一方に対応する分離手段と、の間に折り返しミラーが配置され、
前記隣り合う二つのビームスプリッターの間に、それぞれ、折り返しミラーが配置されていてもよい。
【発明の効果】
【００２１】
本発明によれば、ホログラム記録材料に不要な干渉縞が記録されてしまうことを安定して効果的に防止することができる。これにより、複数の干渉縞を記録されたホログラムであって高い回折効率で光を回折することができるホログラムを安定して製造することができる。
【図面の簡単な説明】
【００２２】
【図１】図１は、本発明の一実施の形態によるホログラム製造方法および露光装置によって製造され得るホログラムの一例を示す図であって、当該ホログラムの光学的作用を説明するための図である。
【図２】図２は、図１のホログラムを示す図であって、当該ホログラムの他の光学的作用を説明するための図である。
【図３】図３は、図１および図２のホログラムの製造方法（露光方法）を説明するための図である。
【図４】図４は、図１および図２のホログラムの製造方法およびホログラムの製造に用いられる露光装置を説明するための図である。
【図５】図５は、図３に対応する図であって、ホログラムの製造方法の一変形例を説明するための図である。
【図６】図６は、図４に対応する図であって、図５に示されたホログラムの製造方法の一変形例を実現するための露光装置の一例を説明するための図である。
【図７】図７は、図３に対応する図であって、ホログラムの製造方法の他の変形例を説明するための図である。
【発明を実施するための形態】
【００２３】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２４】
図１〜図４は、本発明の一実施の形態におけるホログラム製造方法および露光装置を説明するための図である。このうち、図１および図２は、本実施の形態により作製され得るホログラムの光学的作用を説明するための図であり、図３および図４は、図１および図２に示されたホログラムの製造方法および露光装置を説明するための図である。
【００２５】
以下に説明する実施の形態において製造対象となるホログラム１０は、複数の干渉縞１１ａ，１１ｂ，１１ｃ、より詳細には、第１〜第３の三つの干渉縞１１ａ，１１ｂ，１１ｃが記録された体積型ホログラムから構成されている。とりわけ、本実施の形態において、ホログラム１０は、反射型体積ホログラム（リップマンホログラム）から構成されている。
【００２６】
図１および図２に示すように、ホログラム１０の第１〜第３の干渉縞１１ａ，１１ｂ，１１ｃは、そのブラッグ回折条件を満たす光を、高い回折効率で回折するようになっている。本実施の形態では、図１及び図３に示すように、第１〜第３の干渉縞１１ａ，１１ｂ，１１ｃは、共に、第１方向ｄ１に沿って進みホログラム１０へ入射する第１波長の光Ｌａによって、そのブラッグ回折条件を満たされるようになっている。ただし、図１に示すように、第１〜第３の干渉縞１１ａ，１１ｂ，１１ｃは、第１方向ｄ１に沿って進みホログラム１０へ入射する第１波長の光Lａを、互いに異なる複数の方向ｄ１，ｄ２，ｄ３へ回折するようになっている。
【００２７】
具体的には、図１および図３に示すように、第１方向ｄ１に沿って進みホログラム１０へ入射する第１波長の光（再生照明光）Ｌａは、第１干渉縞１１ａによって回折され、第１波長の第１の再生光Ｌｂ１として、第１方向ｄ１とは異なる第２方向ｄ２に反射される。また、第１方向ｄ１に沿って進みホログラム１０へ入射する第１波長の光（再生照明光）Ｌａは、第２干渉縞１１ｂによって回折され、第１波長の第２の再生光Ｌｂ２として、第１方向ｄ１および第２方向ｄ２の両方と異なる第３方向ｄ３に反射される。さらに、第１方向ｄ１に沿って進みホログラム１０へ入射する第１波長の光（再生照明光）Ｌａは、第３干渉縞１１ｃによって回折され、第１波長の第３の再生照明光Ｌｂ３として、第１〜第３方向ｄ１，ｄ２，ｄ３のいずれとも異なる第４方向ｄ４に反射される。
【００２８】
すなわち、ホログラム１０は、一方向から入射する特定波長の光を少なくとも二方向、図示する例では三方向に分離する光分離機能を有している。とりわけ、図示する例では、一つの方向から入射する平行光束を、互いに異なる複数の方向へ進む平行光束として分離するようになっている。このようなホログラム１０は、例えば、特定波長を中心とする極めて狭い波長帯域内の波長を有する光を発光するアプリケーションと共に使用され、アプリケーションで発光された光を異なる方向へ分離させる光分離素子として使用され得る。
【００２９】
また、図２に示すように、第１〜第３の干渉縞１１ａ，１１ｂ，１１ｃは、それぞれ、上述した第１〜第３再生光Ｌｂ１，Ｌｂ２，Ｌｂ３とは逆向きに進んでホログラム１０へ入射する第１波長の光によって、そのブラッグ回折条件を満たされるようになっている。そして、図２および図３に示すように、第１〜第３の干渉縞１１ａ，１１ｂ，１１ｃは、それぞれ第２〜第４方向ｄ２，ｄ３，ｄ４に沿って進みホログラム１０へ入射する第１波長の光Ｌｃ１，Ｌｃ２，Ｌｃ３を、同一の方向ｄ１へ回折するようになっている。
【００３０】
具体的には、図２および図３に示すように、第２方向ｄ２に沿って進みホログラム１０へ入射する第１波長の光（第１の再生照明光）Ｌｃ１は、第１干渉縞１１ａによって回折され、第１波長の再生光Ｌｄとして、第１方向ｄ１に反射される。また、第３方向ｄ３に沿って進みホログラム１０へ入射する第１波長の光（第２の再生照明光）Ｌｃ２は、第２干渉縞１１ｂによって回折され、第１波長の再生光Ｌｄとして、第１方向ｄ１に反射される。さらに、第４方向ｄ４に沿って進みホログラム１０へ入射する第１波長の光（第３の再生照明光）Ｌｃ３は、第３干渉縞１１ｃによって回折され、第１波長の再生照明光Ｌｄとして、第１方向ｄ１に反射される。
【００３１】
すなわち、ホログラム１０は、互いに異なる少なくとも二方向、図示する例では三方向から入射する特定波長の光を一方向に合成する光合成機能を有している。とりわけ、図示する例では、複数方向から入射する各平行光束を、一つの方向へ平行光束として合成するようになっている。このようなホログラム１０は、例えば、特定波長を中心とする極めて狭い波長帯域内の波長を有する光を異なる方向へ向けて発光するアプリケーションと共に使用され、アプリケーションで発光された異なる方向からの光を一方向へ合成する光合成素子として使用され得る。
【００３２】
とりわけ、本実施の形態によるホログラム１０には、以下に説明するその製造方法に起因して、不要な干渉縞が記録されていない。このため本実施の形態によるホログラム１０によれば、光が不要な方向に回折されることを効果的に防止することができる。これにより、入射光を期待した方向へ極めて高い回折効率で回折することができ、ホログラム１０への入射光、例えばアプリケーションで発光された光の利用効率を効果的に上昇させることができる。また、不要な干渉縞によって、入射光が、意図しない方向へ回折されることが防止されるので、予定した光学的機能を安定して確保することができる。
【００３３】
次に、以上のようなホログラム１０を製造する方法の一例について説明する。以下に説明する方法では、単一のレーザ光源４０を含んだ露光装置（光学系）３０を用いて、ホログラム記録材料２０に複数の干渉縞１１ａ，１１ｂ，１１ｃを記録することによって、反射型体積ホログラムからなるホログラム１０を作製する。
【００３４】
まず、ホログラムの製造に用いられる露光装置（光学系、露光装置）３０について説明する。図４に示すように、露光装置３０は、単一のレーザ光源４０と、一つのレーザ光源４０から発生されたレーザ光を二以上の数の分岐光ＢＬ１，ＢＬ２，ＢＬ３に分岐させる分岐手段４５と、各分岐光ＢＬ１，ＢＬ２，ＢＬ３をホログラム記録材料２０にそれぞれ照射される参照光Ｌｒ１，Ｌｒ２，Ｌｒ３および物体光Ｌｏ１，Ｌｏ２，Ｌｏ３に分離させる分離手段５０と、を有している。
【００３５】
また、露光装置３０は、光を反射させるためのミラーＭ、光を広げる（発散させる）ためのスペイシャルフィルタＳＦ、および、スペイシャルフィルタＳＦによって広げられたレーザ光を平行光化するレンズＣ等をさらに有している。そして、このような概略構成により、レーザ光源４０からのレーザ光をホログラム記録材料２０へ平行光束として入射させる光路が画成されている。
【００３６】
とりわけ、この露光装置３０によって画成される光路については、露光装置３０に含まれるすべての分岐光ＢＬ１，ＢＬ２，ＢＬ３から任意に選択される二つの分岐光の、レーザ光源４０から当該分岐光に対応する各分離手段５０までの、光路長の差が、すべて、レーザ光源４０から発生されるレーザ光のコヒーレント長より長くなっている。ここで、コヒーレント長とは、レーザ光源から発生されたレーザ光が可干渉性を保持し得る光路長のことである。
【００３７】
分岐手段４５は、分岐光ＢＬ１，ＢＬ２，ＢＬ３の数よりも一つ少ない数だけ設けられたビームスプリッター（光分割手段）４５ａ，４５ｂからなっている。ビームスプリッター４５ａ，４５ｂは、入射してきた光を二つに分割する機能を有した種々の光学素子または光学機器である。複数のビームスプリッター４５ａ，４５ｂは、直列的に並べて配置されている。すなわち、複数のビームスプリッター４５ａ，４５ｂが、レーザ光源４０に最も近い上流側からレーザ光源４０から最も離間した下流側へ順に並べて配置され、最下流側に配置されたビームスプリッター以外の他のビームスプリッターで分岐された二つの光のうちの一方のみが次のビームスプリッターへ導かれるようになり、他方は分離手段へ導かれるようになる。つまり、ビームスプリッターが直列的に並べて配置されている場合、最下流側のビームスプリッター以外の各ビームスプリッターによって、レーザ光源４０で発生されたレーザ光Ｌ４０から分岐光が一つずつ順に取り出されていく。また、複数のビームスプリッター４５ａ，４５ｂが直列的に並べて配置されている場合、最下流側に配置されたビームスプリッター４５ｂで分岐された二つの光のみが、両方とも、対応する分離手段５０へ導かれるようになる。
【００３８】
図４に示す例において、分離手段５０は、各分岐光ＢＬ１，ＢＬ２，ＢＬ３に対して一つずつ設けられたビームスプリッター（光分割手段）５０ａ，５０ｂ，５０ｃからなっている。すなわち、分離手段５０は、分岐手段４５と同様に、入射してきた光を二つに分割する機能を有した種々の光学素子または光学機器としてのビームスプリッター５０ａ，５０ｂ，５０ｃからなっている。ただし、本実施の形態において、分離手段５０は、分岐手段４５とは異なり、分岐光ＢＬ１，ＢＬ２，ＢＬ３の数と同数のビームスプリッター５０ａ，５０ｂ，５０ｃを含んでいる。
【００３９】
各分離手段５０は、当該分離手段５０からホログラム記録材料２０までの対応する参照光Ｌｒ１，Ｌｒ２，Ｌｒ３の光路長と、当該分離手段５０からホログラム記録材料２０までの対応する物体光Ｌｏ１，Ｌｏ２，Ｌｏ３の光路長との差が、レーザ光源４０から発生されるレーザ光のコヒーレント長以下となるように、配置されている。そもそも、各分離手段５０は、露光装置３０の全体構成を簡略化させる観点からも、ホログラム記録材料２０に近接して配置されていることが好ましい。
【００４０】
また、本実施の形態においては、直列的に順に並べて配置された分岐手段（ビームスプリッター）４５のうちのレーザ光源４０から最も離間した最下流側の分岐手段（ビームスプリッター）４５ｂから、当該最下流側の分岐手段（ビームスプリッター）４５ｂで分岐された二つの分岐光のうちの一方に対応する分離手段５０ｃまで、の光路長が、レーザ光源４０から発生されるレーザ光のコヒーレント長より長くなっている。同様に、分岐手段（ビームスプリッター）４５が複数設けられている本実施の形態においては、直列的に順に並べて配置された分岐手段（ビームスプリッター）４５のうちのレーザ光Ｌ４０の光路に沿って隣り合う二つの分岐手段（ビームスプリッター）４５ａ，４５ｂの間における光路長が、レーザ光源４０から発生されたレーザ光のコヒーレント長より長くなっている。その一方で、上述した一つの分離手段（最下流側の分岐手段４５ｂで分岐された二つの分岐光ＢＬ２，ＢＬ３のうちの一方に対応する分離手段５０ｃ）を除き、各分離手段５０は対応する分岐手段４５の近傍に配置され、露光装置３０の小型化に寄与している。このような構成によれば、任意に選択された二つの分岐光のレーザ光源４０から対応する分離手段５０までの光路長の差をレーザ光のコヒーレント長よりも長くすることを可能にしながら、露光装置３０の構成を単純化するとともに、露光装置３０の設置スペースを省スペース化することもできる。
【００４１】
とりわけ、本実施の形態においては、最下流側の分岐手段（ビームスプリッター）４５ｂと、最下流側の分岐手段（ビームスプリッター）４５ｂで分岐された二つの分岐光ＢＬ２，ＢＬ３のうちの一方に対応する分離手段５０ｃと、の間に折り返しミラー５５が配置され、この間における光路長をレーザ光のコヒーレント長よりも長くしている。同様に、隣り合う二つの分岐手段（ビームスプリッター）４５の間に、それぞれ、折り返しミラー５５が配置され、この間における光路長をレーザ光のコヒーレント長よりも長くしている。折り返しミラー５５は、複数の反射手段（典型的にはミラー）の間で光を多数回往復させることにより、少ないスペースで極めて長い光路長を確保することができる。これにより、任意に選択された二つの分岐光のレーザ光源４０から対応する分離手段５０までの光路長の差をレーザ光のコヒーレント長よりも長くすることを可能にしながら、露光装置３０の構成を単純化するとともに、露光装置３０の設置スペースを省スペース化することもできる。
【００４２】
なお、レーザ光源４０として、種々の公知のレーザ光源を用いることができる。例えば、レーザ光源４０として、高出力でレーザ光を発振させることができる、ヘリウム−ネオンレーザー、アルゴンイオンレーザー、クリプトンイオンレーザー、ネオジウムヤグレーザー等のレーザ光源を用いることができる。また、感光性を有したホログラム記録材料２０としては、種々の公知の感光材を用いることができる。例えば、ホログラム記録材料２０として、フォトポリマー、銀塩乳剤、重クロム酸ゼラチン、フォトレジスト等を用いることができる。
【００４３】
次に、このような露光装置３０を用いてホログラム１０を作製する方法について、説明する。
【００４４】
図４に示すように、露光装置（光学系）３０のレーザ光源４０から発生された第１波長のレーザ光Ｌ４０は、まず、分岐手段４５ａ，４５ｂによって二以上の数の分岐光ＢＬ１，ＢＬ２，ＢＬ３に分岐される。具体的には、まず第１の分岐手段４５ａによって、レーザ光源４０からのレーザ光Ｌ４０から、第１の分岐光ＢＬ１が分岐される。次に、第２の分岐手段４５ｂによって、レーザ光Ｌ４０が第２の分岐光ＢＬ２と第３の分岐光ＢＬ３とに分離される。
【００４５】
その後、各分岐光ＢＬ１，ＢＬ２，ＢＬ３に対して一つずつ設けられた分離手段５０ａ，５０ｂ，５０ｃによって、各分岐光がそれぞれ参照光Ｌｒ１，Ｌｒ２，Ｌｒ３および物体光Ｌｏ１，Ｌｏ２，Ｌｏ３に分離される。具体的には、第１の分離手段５０ａによって、第１の分岐光ＢＬ１が第１参照光Ｌｒ１および第１物体光Ｌｏ１に分けられ、第２の分離手段５０ｂによって、第２の分岐光ＢＬ２が第２参照光Ｌｒ２および第２物体光Ｌｏ２に分けられ、第３の分離手段５０ｃによって、第３の分岐光ＢＬ３が第３参照光Ｌｒ３および第３物体光Ｌｏ３に分けられる。
【００４６】
そして、第１〜第３参照光Ｌｒ１，Ｌｒ２，Ｌｒ３および第１〜第３物体光Ｌｏ１，Ｌｏ２，Ｌｏ３は、ミラーＭ等の手段によって進路を適宜変更された後、スペイシャルフィルタＳＦおよびレンズＣによって、ホログラム記録材料２０の所望の領域の全域へ入射し得る程度まで広げられた平行光束として、ホログラム記録材料２０へ入射する。すなわち、一つのレーザ光源４０から発生されたレーザ光が、二以上の数の参照光Ｌｒ１，Ｌｒ２，Ｌｒ３および二以上の数の物体光Ｌｏ１，Ｌｏ２，Ｌｏ３として、ホログラム記録材料２０に同時に照射される。
【００４７】
この結果、ホログラム記録材料２０内において、第１参照光Ｌｒ１と第１物体光Ｌｏ１が干渉し、明暗の縞からなる光の干渉縞が形成される。感光性を有したホログラム記録材料２０は、この明暗の縞に対応して反応する。この結果、ホログラム記録材料２０内に、この明暗の縞に対応したパターンの第１干渉縞１１ａが記録され、これにより、ホログラム１０へ回折機能が付与される。一例として、ホログラム記録材料２０がフォトポリマーからなる場合には、屈折率変調パターンとして第１干渉縞１１ａが記録される。
【００４８】
また同様にして、第２参照光Ｌｒ２と第２物体光Ｌｏ２が干渉してなる明暗の縞に対応したパターンで第２干渉縞１１ｂがホログラム記録材料２０に記録され、第３参照光Ｌｒ３と第３物体光Ｌｏ３が干渉してなる明暗の縞に対応したパターンで第３干渉縞１１ｃがホログラム記録材料２０に記録される。
【００４９】
ここで、第１参照光Ｌｒ１および第１物体光Ｌｏ１が干渉してなる明暗の縞、および、これにともなう第１干渉縞１１ａは、第１参照光Ｌｒ１のホログラム記録材料２０への入射方向と、第１物体光Ｌｏ１のホログラム記録材料２０への入射方向と、によってなされる角の二等分線と平行な方向に延びるようになる。同様に、第２干渉縞１１ｂは、第２参照光Ｌｒ２のホログラム記録材料２０への入射方向と、第２物体光Ｌｏ２のホログラム記録材料２０への入射方向と、によってなされる角の二等分線と平行な方向に延びるようになり、第３干渉縞１１ｃは、第３参照光Ｌｒ３のホログラム記録材料２０への入射方向と、第３物体光Ｌｏ３のホログラム記録材料２０への入射方向と、によってなされる角の二等分線と平行な方向に延びるようになる。
【００５０】
上述したように、レーザ光源４０から発生されるレーザ光Ｌ４０の波長は、第１波長であって、作製しようとしている干渉縞１１ａ，１１ｂ，１１ｃから図１および図２に示すような特定の回折作用を及ぼされることを意図された光の波長と同一となっている。したがって、第１干渉縞１１ａを形成するための第１参照光Ｌｒ１および第１物体光Ｌｏ１を、それぞれ、第１干渉縞１１ａに関する第１波長の再生照明光Ｌａおよび再生光Ｌｂ１の進行方向と同一の第１方向ｄ１および第２方向ｄ２から、ホログラム記録材料２０に入射させる。同様に、第２干渉縞１１ｂを形成するための第２参照光Ｌｒ２および第２物体光Ｌｏ２を、それぞれ、第２干渉縞１１ｂに関する第１波長の再生照明光Ｌａおよび再生光Ｌｂ２の進行方向と同一の第１方向ｄ１および第３方向ｄ３から、ホログラム記録材料２０に入射させ、第３干渉縞１１ｃを形成するための第３参照光Ｌｒ３および第３物体光Ｌｏ３を、それぞれ、第３干渉縞１１ｃに関する第１波長の再生照明光Ｌａおよび再生光Ｌｂ３の進行方向と同一の第１方向ｄ１および第４方向ｄ４から、ホログラム記録材料２０に入射させる。
【００５１】
このため、図４に示すように、共に第１方向ｄ１からホログラム記録材料２０へ入射する第１参照光Ｌｒ１、第２参照光Ｌｒ２および第３参照光Ｌｒ３は、同一の方向に進むように、ハーフミラーＨＭを介して合成される。そして、図３および図４に示すように、合成光として、スペイシャルフィルタＳＦおよびレンズＣによって所望の程度にまで広げられた平行光束として、上述した第１方向ｄ１から、ホログラム記録材料２０へ入射する。このように、干渉縞１１ａ，１１ｂ，１１ｃの記録にレーザ光源４０が用いられることによって、多数の光がホログラム記録材料２０へ入射するようになるものの、各分岐光からの複数の参照光Ｌｒ１，Ｌｒ２，Ｌｒ３は同一方向に沿って同一の面の側からホログラム記録材料２０へ入射するようになる。したがって、露光装置３０の設定を比較的に容易化することができる。
【００５２】
また、上述したように、本実施の形態において、ホログラム１０は、反射型体積ホログラムとして構成されている。したがって、第１干渉縞１１ａを形成する第１参照光Ｌｒ１および第１物体光Ｌｏ１を、互いに異なる側から、シート状のホログラム記録材料２０に入射させる。同様に、第２干渉縞１１ｂを形成する第２参照光Ｌｒ２および第２物体光Ｌｏ２を、互いに異なる側から、シート状のホログラム記録材料２０に入射させ、第３干渉縞１１ｃを形成する第３参照光Ｌｒ３および第３物体光Ｌｏ３を、互いに異なる側から、シート状のホログラム記録材料２０に入射させる。
【００５３】
以上のようにして、複数の干渉縞１１ａ，１１ｂ，１１ｃをホログラム記録材料２０に並行して記録することができる。干渉縞の記録工程が終了すると、その後、後処理工程がホログラム記録材料２０に施され、反射型体積ホログラムからなるホログラム１０が得られるようになる。なお、後処理の内容は、ホログラム記録材料２０をなす材料によって異なるが、一例として、紫外線照射および加熱処理が、一連の後処理としてホログラム記録材料２０に実施され得る。
【００５４】
本実施の形態においては、一つのレーザ光源４０から発振されたレーザ光からなる第１〜第３の参照光Ｌｒ１，Ｌｒ２，Ｌｒ３および第１〜第３の物体光Ｌｏ１，Ｌｏ２，Ｌｏ３を、同時に、ホログラム記録材料２０に入射させている。このように同時露光によってホログラム記録材料２０に複数の干渉縞１１ａ，１１ｂ，１１ｃを形成することにより、ホログラム１０を短時間で形成することができる。また、煩雑な作業を伴う露光装置３０の準備を、複数回行う必要がない。さらに、各光Ｌｒ１，Ｌｒ２，Ｌｒ３，Ｌｏ１，Ｌｏ２，Ｌｏ３の光量を調節するといった簡易な操作により、各干渉縞１１ａ，１１ｂ，１１ｃでの回折効率を調節することができる。すなわち、所望の光学特性を有する干渉縞１１ａ，１１ｂ，１１ｃが精度良く形成されたホログラム１０を、安価に形成することができる。
【００５５】
またさらに、上述した方法で製造されたホログラム１０が、非常に優れた回折効率を呈すること、が確認された。これは、ホログラム１０をなすホログラムに不要な干渉縞が記録されていないことに起因している。
【００５６】
図３に示すようにホログラム記録材料２０を単純に四方向から同時露光した場合、上述したように同一の分岐光からなる参照光と物体光との干渉だけでなく、異なる方向から入射するその他の光同士も干渉し合う可能性がある。具体的には、第２方向ｄ２からの第１物体光Ｌｏ１は、第１方向ｄ１からの第１参照光Ｌｒ１だけでなく、第３方向ｄ３からの第２物体光Ｌｏ２や第４方向ｄ４からの第３物体光Ｌｏ３とも、干渉し合う可能性がある。このような干渉が生じた場合、上述した第１〜第３の干渉縞１１ａ，１１ｂ，１１ｃだけでなく、例えば、第２方向ｄ２と第３方向ｄ３とによってなされる角の二等分線と平行な方向に延びる干渉縞や、第２方向ｄ２と第４方向ｄ４とによってなされる角の二等分線と平行な方向に延びる干渉縞もホログラム記録材料２０に記録され得る。
【００５７】
しかしながら、本実施の形態においては、一つのレーザ光源４０から発生されたレーザ光Ｌ４０を、まず二以上の分岐光ＢＬ１，ＢＬ２，ＢＬ３に分割し、その後、各分岐光にそれぞれ対応して設けられた分離手段５０によって、各分岐光を物体光Ｌｒ１，Ｌｒ２，Ｌｒ３および参照光Ｌｏ１，Ｌｏ２，Ｌｏ３に分離する。そして、二以上の数の分岐光ＢＬ１，ＢＬ２，ＢＬ３から任意に選択される二つの分岐光の、一つのレーザ光源４０から当該分岐光にそれぞれ対応する分離手段５０までの、光路長の差は、すべて、レーザ光源４０から発生されたレーザ光のコヒーレント長より長くなっている。したがって、同一の分岐光から分離された参照光および物体光との間での干渉は生じるが、異なる分岐光から分離された光の間での干渉は生じない。これにより、不要な干渉縞がホログラム記録材料２０に記録されることを防止し、回折効率の高い意図した干渉縞１１ａ，１１ｂ，１１ｃのみをホログラム記録材料２０に記録することができる。
【００５８】
また、本実施の形態によれば、一つのレーザ光源４０から発生されたレーザ光Ｌ４０が、まず二以上の分岐光ＢＬ１，ＢＬ２，ＢＬ３に分割し、その後で各分岐光を物体光Ｌｒ１，Ｌｒ２，Ｌｒ３および参照光Ｌｏ１，Ｌｏ２，Ｌｏ３に分離している。したがって、上述したような任意の二つの分岐光のレーザ光源から分離手段までの光路長差をレーザ光のコヒーレント長より長く確保するといった光路設計を単純化して行うことができる。これにより、例えば、特許文献２（特開２００５−７０３４１号公報）に開示された露光装置と比較して、露光装置（光学系）３０の構成を大幅に簡略化することができるとともに、露光装置（光学系）３０の設置スペースを大幅に小型化することができる。また、本実施の形態によれば、特許文献２（特開２００５−７０３４１号公報）に開示された方法と比較して、コヒーレント長の長いレーザ光を発生させるレーザ光源４０を用いた場合の光路長測定および光路設計を格段に容易化させることもできる。
【００５９】
また、上述した実施の形態において、分岐手段５０は直列的に順に並べて配置され、分岐光ＢＬ１，ＢＬ２，ＢＬ３が順に得られていくようになっている。これにより、任意の二つの分岐光のレーザ光源４０から分離手段５０までの光路長差をレーザ光のコヒーレント長より長く確保するといった光路設計を、より単純化して行うことができる。
【００６０】
さらに、上述した実施の形態においては、直列的に順に並べて配置された分岐手段４５のうちの隣り合う二つの分岐手段の間において、レーザ光はそのコヒーレント長より長い光路長を進む、且つ、最下流側の分岐手段４５ｂから、当該最下流側の分岐手段４５で分岐された二つの光ＢＬ２，ＢＬ３のうちの一方に対応する分離手段５０ｃまでの間において、レーザ光はそのコヒーレント長よりも長い光路長を進むようになっている。これにより、任意の二つの分岐光のレーザ光源４０から分離手段５０までの光路長差をレーザ光のコヒーレント長より長く確保するといった光路設計を、さらに単純化して行うことができる。
【００６１】
またこの際、最下流側の分離手段４５で分岐された二つの分岐光のうちの一方に対応する分離手段５０ｃ以外の分離手段５０ａ，５０ｂを対応する分岐手段４５ａ，４５ｂの近傍に配置することができ、これにより、露光装置（光学系）３０をさらに簡略化することができるとともに、露光装置３０の設置スペースを小型化することができる。
【００６２】
またとりわけ、隣り合う二つの分岐手段４５の間に折り返しミラー５５を配置することにより、当該隣り合う二つの分岐手段４５の間での光路長をレーザ光のコヒーレント長よりも長く確保している。同様に、最下流側の分離手段４５ｂから当該最下流側の分離手段４５で分岐された二つの分岐光のうちの一方に対応する分離手段５０ｃまでの間にも折り返しミラー５５を配置することにより、当該最下流側の分岐手段４５ｂと対応する一方の分離手段５０ｃとの間での光路長をレーザ光のコヒーレント長よりも長く確保している。このような構成によれば、レーザ光のコヒーレント長によらず、光路長の設計を簡略化することができるとともに、露光装置３０を大幅に簡略化かつ小型化することができる。
【００６３】
以上のような本実施の形態によれば、ホログラム１０をなすようになるホログラム記録材料２０に不要な干渉縞１１ｃが記録されることを安定して防止することができる。これにより、不要な干渉縞１１ｃによって入射光が意図しない方向に回折されてしまうことを防止することができ、ホログラム１０が高い回折効率を呈するようになる。また、このホログラム１０は、同時露光により、干渉縞が記録されているので、安価に且つ高精度に製造され得るとともに、光学特性を容易に調節され得る。
【００６４】
なお、上述した実施の形態に対して様々な変更を加えることが可能である。以下、図面を参照しながら、変形の一例について説明する。以下の説明で用いる図面では、上述した実施の形態における対応する部分に対して用いた符号と同一の符号を用いており、重複する説明を省略する。
【００６５】
例えば、上述した実施の形態において、分離手段５０がビームスプリッター５０ａ，５０ｂ，５０ｃからなる例を示したが、この例に限られない。例えば、分離手段５０が、透過型ホログラムを含んだ透過型ホログラム原版として構成されていてもよい。一例として、分離手段５０が透過型ホログラム原版からなる場合、透過型ホログラムのブラッグ条件を満たすように、透過型ホログラム原版への分岐光の入射方向を決定する。この例では、透過型ホログラムで回折されてなる１次光（回折光）が、例えば物体光としてホログラム記録材料２０へ入射し、透過型ホログラムで回折されることなく透過型ホログラム原版を透過した０次光が、例えば参照光としてホログラム記録材料２０へ入射するようにしてもよい。
【００６６】
また、上述した実施の形態において、分離手段５０で物体光の光路と参照光の光路とが分離された後に、当該物体光および参照光がそれぞれホログラム記録材料２０へ入射するようになっている例を示したが、この例に限られない。例えば、図５および図６に示すように、ホログラム記録材料２０の背面に模型５１を配置した状態で、ホログラム記録材料２０へ前面（模型に対面する背面とは逆の主面）の側から分岐光ＢＬ１，ＢＬ２そのものを参照光Ｌｒ１，Ｌｒ２として照射するとともに、ホログラム記録材料２０を透過した参照光Ｌｒ１，Ｌｒ２が模型５１で反射されてなる反射光としての物体光Ｌｏ１，Ｌｏ２をホログラム記録材料２０へ背面の側から照射するようにしてもよい。
【００６７】
この露光方法は、いわゆるデニシューク法と呼ばれる露光方法であって、分離手段は、参照光としての光路と物体光としての光路とを分離する模型５１となる。すなわち、上述した、レーザ光源４０から分離手段５１までの光路長は、レーザ光源４０からホログラム記録材料２０を通過した模型５１までの光路の長さとなる。
【００６８】
なお、図５および図６に示す変形例では、一つの分岐手段４５によって、レーザ光を二つの分岐光ＢＬ１，ＢＬ２に分割している。そして、分岐手段４５と一方の分岐光ＢＬ２に対応する分離手段（本例では模型）５１との間に折り返しミラー５５が配置され、分岐手段４５と一方の分岐光ＢＬ２に対応する分離手段５１との間の光路長がレーザ光源４０から発生されたレーザ光のコヒーレント長さより長くなっている。これにより、第１の分岐光ＢＬ１からなる第１参照光Ｌｒ１および第１物体光Ｌｏ１のいずれかと、第２の分岐光ＢＬ２からなる第２参照光Ｌｒ２および第１物体光Ｌｏ２のいずれかと、が干渉し合うことを防止することができる。
【００６９】
ところで、ホログラム１０は、ブラッグ条件を満たすようになる光を高い回折効率で回折することができる。一方、ホログラム１０は、透光性を有したフィルム状の部材として構成されるため、その表裏およびその上下のいずれかを反転させて保持されることもある。そして、意図された再生照明光が正面方向から傾斜した方向からホログラム１０へ入射する場合、当該ホログラムを表裏および上下の一方だけを反転させて保持していると、入射光は回折されなくなる。その一方で、図５および図６に示された露光方法により作成されたホログラムによれば、二つ記録された干渉縞によって、ホログラムを表裏および上下の一方だけを反転させて保持した場合であって、再生光を観察し得るようにすることができる。例えば、図５および図６に示された露光方法により作成されたホログラムは、複数の方向から入射する光の各々によって、同一の像を再生することができる。
【００７０】
さらに、図７に示すように、分離手段５０が、模型５１に代え、反射型ホログラムを含んだ反射型ホログラム原版５２，５３として構成されていてもよい。具体的には、反射型ホログラム原版５２，５３をホログラム記録材料２０の背面に密着または離間させて配置してもよい。一例として、ホログラム記録材料２０を透過した光が反射型ホログラムのブラッグ条件を満たすように、ホログラム記録材料２０の前面の側から分岐光ＢＬ１，ＢＬ２そのものを参照光Ｌｒ１、Ｌｒ２として照射する。この際、ホログラム記録材料２０を透過した第１参照光Ｌｒ１が第１反射型ホログラム原版５２で回折（反射）され、回折光としての第１物体光Ｌｏ１がホログラム記録材料２０へ背面の側から入射するようになる。同様に、ホログラム記録材料２０および第１反射型ホログラム原版５２を透過した第２参照光Ｌｒ２が第２反射型ホログラム原版５３で回折（反射）され、回折光としての第２物体光Ｌｏ２がホログラム記録材料２０へ背面の側から入射するようになる。
【００７１】
この例では、分離手段５０は、参照光Ｌｒ１，Ｌｒ２としての光路と物体光Ｌｏ１，Ｌｏ２としての光路とを分離する反射型ホログラム原版５２，５３となり、上述したレーザ光源４０から分離手段５２，５３までの光路長は、レーザ光源４０からホログラム記録材料２０を通過した反射型ホログラム原版５２，５３までの光路の長さとなる。
【００７２】
なお、図７に示す変形例において、露光装置の全体的な構成は、図６に示された露光装置３１と同様にすることができる。これにより、第１の分岐光ＢＬ１からなる第１参照光Ｌｒ１および第１物体光Ｌｏ１のいずれかと、第２の分岐光ＢＬ２からなる第２参照光Ｌｒ２および第１物体光Ｌｏ２のいずれかと、が干渉し合うことを防止することができる。
【００７３】
さらに、上述した実施の形態において、ホログラム１０が、反射型ホログラムをなすようになる干渉縞１１ａ，１１ｂ，１１ｃを記録される例を示したが、これに限られない。例えば、ホログラム１０が、透過型ホログラムをなすようになる干渉縞を記録されるようにしてもよいし、反射型ホログラムをなすようになる干渉縞と透過型ホログラムをなすようになる干渉縞との両方を記録されるようにしてもよい。
【００７４】
さらに、上述した実施の形態において、ホログラム１０が、平行光束からなる入射光（再生照明光）を平行光束からなる回折光（再生光）として回折する光合成機能および光分離機能を発揮する例を示したが、これに限られない。例えば、平行光束からなる入射光を、発散光束、収束光束、散乱光束からなる回折光として回折するようにしてもよいし、入射光が発散光束や収束光束として構成されるようにしてもよい。このようなホログラムは、干渉縞を記録する際の参照光を、入射光（再生照明光）と同様の光束（発散光束や収束光束）とし、干渉縞を記録する際の物体光を、回折光（再生光）と同様の光束（発散光束や収束光束）とすることにより、作製され得る。
【００７５】
さらに、上述した実施の形態において、ホログラム１０からの回折光が平行光束として構成される例を示したが、これに限られず、回折光が何らかの像を再生するようにしてもよい。例えば図１に示す例において、第１再生光Ｌｂ１が第２方向ｄ２を中心とする第１の視域に第１像を再生し、第２生成光Ｌｂ２が第３方向ｄ３を中心とする第２の視域に第１像とは異なる第２像を再生し、第３生成光Ｌｂ３が第４方向ｄ４を中心とする第３の視域に第１像および第２像の両方と異なる第３像を再生するようにしてもよい。この例において、第１〜第３の視域のいずれか二つが部分的に重なり合うようにしてもよいし、あるいは、第１〜第３の視域がすべて重なり合わないようにしてもよい。すなわち、このような変形例に係るホログラムよれば、特許文献１（特開２００８−１２２６７０号公報）に開示されたホログラムと同様に、一方向から入射する光によって、少なくとも二つの方向から互いに異なる像が観察されるよう、像を再生することができる。
【００７６】
さらに、上述した実施の形態において、ある特定波長（第１波長）の光に対して所望の回折作用を及ぼす干渉縞１１ａ，１１ｂ，１１ｃを、当該特定波長の光と同一の波長の露光光を用いて、ホログラム記録材料２０に記録する例を示したが、これに限られない。作製されるべきホログラム１０によって回折されることを意図された光の波長（上述の実施の形態では、第１波長）とは異なる波長の光をホログラム記録材料２０に露光することによって、ホログラム１０を作製してもよい。ホログラム記録材料２０に記録された干渉縞１１ａ，１１ｂ，１１ｃは、第１波長とは異なる波長、例えば第２波長を有した光であったとしても、当該干渉縞のブラッグ回折条件を満たす方向から入射する再生照明光を、高い回折効率で回折することができる。この場合、第２波長の再生照明光および当該再生照明光が回折されてなる第２波長の再生光の進行方向から、ホログラム記録材料２０に参照光および物体光を入射させることにより、上述したホログラムを作製することができる。
【００７７】
また、このような作製方法の変形例をさらに応用することによって、第１方向から入射する第１波長の第１再生照明光を回折する第１干渉縞と、第１方向から入射する第１波長とは異なる第２波長の第２再生照明光を回折する第２干渉縞と、を有したホログラムを、単一のレーザ光源を用いて、上述した実施の形態で説明した製造方法と同様の方法で製造することもできる。例えば、第１干渉縞を第１波長の第１参照光および第１物体光により記録し、第２干渉縞を第１波長の第２参照光および第２物体光により記録する。この際、第１波長の第１参照光のホログラム記録材料への入射方向は第１方向となり、第１波長の第１物体光のホログラム記録材料への入射方向は、第１再生照明光が第１干渉縞で回折されてなる回折光（再生光）の回折方向（進行方向）となる。一方、第１波長の第２参照光のホログラム記録材料への入射方向は第１方向とは異なる方向となり、第１波長の第２物体光のホログラム記録材料への入射方向は、第２再生照明光が第２干渉縞で回折されてなる回折光（再生光）の回折方向（進行方向）とは異なる方向となる。
【００７８】
一般に、干渉縞の記録に用いられ得る高出力のレーザ光源は限られており、このため、高出力で発生されるレーザ光の波長も特定の波長に限られている。したがって、干渉縞の記録に用いられる光の波長（第１波長）を、容易に入手可能なレーザ光源から発振されるレーザ光の波長とし、作製されたホログラム１０によって回折されるべき光の波長（第２波長）を、高出力のレーザ光源から発生され得ない波長とすることも可能となる。この場合、ホログラム１０の識別性を格段に向上させることができ、また、コンタクトコピーを実質的に不可能とすることもできる。
【００７９】
なお、以上において上述した実施の形態に対するいくつかの変形例を説明してきたが、当然に、複数の変形例を適宜組み合わせて適用することも可能である。
【符号の説明】
【００８０】
１０  ホログラム
１１ａ  干渉縞（第１干渉縞）
１１ｂ  干渉縞（第２干渉縞）
１１ｃ  干渉縞（第３干渉縞）
２０  ホログラム記録材料
３０  露光装置（光学系）
４０  レーザ光源
４５  分岐手段
４５ａ  分岐手段（第１分岐手段）
４５ｂ  分岐手段（第２分岐手段、最下流側の分岐手段）
５０  分離手段
５０ａ  分離手段（第１分離手段）
５０ｂ  分離手段（第２分離手段）
５０ｃ  分離手段（第３分離手段）
５１  模型（分離手段）
５２  反射型ホログラム原版（第１分離手段）
５３  反射型ホログラム原版（第２分離手段）
５５  折り返しミラー
【図１】
0005471775.tif 000002
【図２】
0005471775.tif 000003
【図３】
0005471775.tif 000004
【図４】
0005471775.tif 000005
【図５】
0005471775.tif 000006
【図６】
0005471775.tif 000007
【図７】
0005471775.tif 000008